(57)【要約】【課題】グループ単位で物品を管理することが可能な物品管理装置を提供する。【解決手段】収納体２８に収納された物品６０に記憶手段５２が付加されている。また、この記憶手段５２から発信される信号を受信する受信手段５０が格納体３２に設けられている。収納体２８は、記憶手段５２からの信号発信が可能となるように物品６０を収納する収納構造を備えており、移動して格納体３２に格納される。よって、収納体２８に物品６０をまとめて収納しても、物品６０に付加された記憶手段５２の情報を確実に読み取ることが可能となる。これにより、グループ単位で物品を管理することができる。【選択図】図２
2008254865.tif 000002
【特許請求の範囲】
【請求項１】
物品に付加され、記憶された情報を信号として発信する記憶手段と、
格納体に設けられ、前記記憶手段から発信された信号を前記記憶手段と非接触で受信する受信手段と、
前記受信手段によって受信された信号を情報として読み取る読取手段と、
移動して前記格納体に格納され、前記記憶手段からの信号発信が可能となるように前記物品を収納する収納構造を備えた収納体と、
を有することを特徴とする物品管理装置。
【請求項２】
前記収納体が前記格納体に格納された状態で、前記物品を前記収納体から前記格納体の外部に取り出す、又は前記物品を前記格納体の外部から前記収納体に入れる開口部が、前記格納体に設けられていることを特徴とする請求項１に記載の物品管理装置。
【請求項３】
前記収納体が前記格納体に格納された状態で、前記格納体の外部から前記物品が見えるように前記格納体に透明又は半透明の部材が設けられていることを特徴とする請求項１又は２に記載の物品管理装置。
【請求項４】
前記記憶手段から発信される信号は、電磁波であり、かつ前記格納体に設けられた発信手段から発信される電磁波を受信した前記記憶手段から発信されることを特徴とする請求項１〜３の何れか１項に記載の物品管理装置。
【請求項５】
前記収納体の少なくとも一部は、電磁波を透過する材料によって形成されていることを特徴とする請求項４に記載の物品管理装置。
【請求項６】
電磁波を反射する反射層が、前記収納体の少なくとも一部を覆うように前記格納体に設けられていることを特徴とする請求項４又は５に記載の物品管理装置。
【請求項７】
電磁波を反射して散乱させる散乱層が、前記収納体の少なくとも一部を覆うように前記格納体に設けられていることを特徴とする請求項４〜６の何れか１項に記載の物品管理装置。
【請求項８】
前記反射層又は前記散乱層の少なくとも一部が開閉可能であることを特徴とする請求項６又は７に記載の物品管理装置。
【請求項９】
電磁波を吸収する吸収部材が、前記発信手段の周囲に設けられていることを特徴とする請求項４〜８の何れか１項に記載の物品管理装置。
【発明の詳細な説明】
【技術分野】
【０００１】
本発明は、情報が記憶された記憶手段を物品に付加し、この情報を利用して物品の管理を行う物品管理装置に関する。
【背景技術】
【０００２】
工場や倉庫等で扱われる物品にＩＣタグを貼り付けて、物品の管理を行う物品管理システムが提案されている。
【０００３】
このような物品管理システムで用いられるＩＣタグには、用途に応じた情報が記憶されている。そして、無線交信機能を備えたリーダライタ装置によって、このＩＣタグに記憶されている情報を読み取ったり、又は新たな情報をＩＣタグに書き込むことができる。
【０００４】
情報を伝達する方式には、電磁誘導方式と電波方式がある。電磁誘導方式は、受発信手段（アンテナ）のコイルと記憶手段（ＩＣタグ）のコイルとを磁束結合させてエネルギーや信号を伝達する。そして、電波方式は、受発信手段（アンテナ）と記憶手段（ＩＣタグ）との間で電磁波のやりとりを行ってエネルギーや信号を伝達する。
【０００５】
電磁誘導方式は電波方式に比べてエネルギーを効率的に伝達できるので、開発が先行し普及しているが、通信可能距離は非常に小さく数十ｃｍ程度である。これに対して、電波方式は、電磁波を空間に放射して伝達するので、より遠くのＩＣタグ（ＵＨＦ帯域の電磁波を利用する場合、５ｍ程度）との通信が可能になる。よって、電波方式のＩＣタグを用いれば、受発信手段（アンテナ）の数を少なくすることができる。また、この電波方式のＩＣタグは、近年の技術革新により品質安定と低コスト化が進展しており、今後の普及の本命とされている。
【０００６】
しかし、例えば、複数の陳列棚が設置されているスーパーマーケットにおいて、この陳列棚に置かれた物品のそれぞれに電波方式のＩＣタグを付加し、店内に複数の受発信手段（アンテナ）を設置して物品管理を行う場合には、これらの受発信手段（アンテナ）を介してリーダライタ装置が読み取った情報が、どの陳列棚に置かれた物品に付加されたＩＣタグからの情報であるかを特定できない。すなわち、グループ（陳列棚）単位で物品を管理することが難しい。
【０００７】
図１６に示すように、特許文献１の在庫管理システムでは、収納設備２５０に備えられた６つの収納庫２５２Ａ〜２５２Ｆの何れかに、ＩＣタグが付加された物品２５４Ａ〜２５４Ｆが収容されている。
【０００８】
収納庫２５２Ａ〜２５２Ｆには、ＩＣタグの記録内容を無線で読み取るリーダ装置２５６Ａ〜２５６Ｆがそれぞれ設置されている。
【０００９】
また、収納庫２５２Ａ〜２５２Ｆを囲む隔壁２５８の内側には、金属層からなる遮蔽手段２６０Ａ〜２６０Ｆがそれぞれ形成されている。
【００１０】
そして、収納庫２５２Ａ〜２５２Ｆの何れかに収容されている物品２５４Ａ〜２５４Ｆに付加されたＩＣタグの記録内容をリーダ装置２５６Ａ〜２５６Ｆによって読み取り、リーダ装置２５６Ａ〜２５６Ｆが読み取った記録内容に基づいて管理手段２６２が収納庫２５２Ａ〜２５２Ｆ内の物品の在庫を確認する。また、遮蔽手段２６０Ａ〜２６０Ｆによって、別の収納庫内に収容された物品に付加されたＩＣタグの記録内容を誤って読み取ることがない。
【００１１】
よって、グループ（収納庫２５２Ａ〜２５２Ｆ）単位で物品の在庫状態を把握することができる。
【００１２】
しかし、特許文献１の在庫管理システムにおいて、収納庫に複数の物品をまとめて収納した場合、この状態では互いの物品によってＩＣタグが隠れてしまうこともあり、個々のＩＣタグの記録内容を読み取ることが困難なので、グループ単位で物品の在庫状態を把握することが難しくなる。
【特許文献１】特開２００６−２６４９４２号公報
【発明の開示】
【発明が解決しようとする課題】
【００１３】
本発明は係る事実を考慮し、グループ単位で物品を管理することが可能な物品管理装置を提供することを課題とする。
【課題を解決するための手段】
【００１４】
請求項１に記載の発明は、物品に付加され、記憶された情報を信号として発信する記憶手段と、格納体に設けられ、前記記憶手段から発信された信号を前記記憶手段と非接触で受信する受信手段と、前記受信手段によって受信された信号を情報として読み取る読取手段と、移動して前記格納体に格納され、前記記憶手段からの信号発信が可能となるように前記物品を収納する収納構造を備えた収納体と、を有することを特徴としている。
【００１５】
請求項１に記載の発明では、物品に記憶手段が付加されている。記憶手段には情報が記憶されており、記憶手段に記憶された情報がこの記憶手段から信号として発信される。
【００１６】
また、受信手段が格納体に設けられている。この受信手段は、記憶手段から発信された信号を記憶手段と非接触で受信する。
【００１７】
受信手段によって受信された信号は、読取手段により情報として読み取られる。
【００１８】
また、収納体が移動して格納体に格納される。この収納体は、記憶手段からの信号発信が可能となるように物品を収納する収納構造を備えている。
【００１９】
よって、収納体に物品をまとめて収納しても、収納体は記憶手段からの信号発信が可能となるように物品を収納する収納構造を備えているので、物品に付加された記憶手段の情報を読取手段で確実に読み取ることが可能となる。これにより、グループ（収納体）単位で物品を管理することができる。
【００２０】
また、収納体と同数の格納体を用意しなくても、物品の管理が必要なときに収納体を移動して格納体に格納すれば、収納体に収納された物品の情報を把握することができる。すなわち、少ない数の受信手段及び読取手段によって物品管理装置を構築できるので、低コスト化が図れる。
【００２１】
また、グループ（収納体）単位で一括して管理する物品を移動させたり、交換することができる。
【００２２】
請求項２に記載の発明は、前記収納体が前記格納体に格納された状態で、前記物品を前記収納体から前記格納体の外部に取り出す、又は前記物品を前記格納体の外部から前記収納体に入れる開口部が、前記格納体に設けられていることを特徴としている。
【００２３】
請求項２に記載の発明では、格納体に開口部が設けられている。そして、収納体が格納体に格納された状態で、この開口部を介して、収納体から格納体の外部に物品を取り出したり、又は格納体の外部から収納体に物品を入れる。
【００２４】
よって、収納体が格納体に格納された状態においても、物品の出し入れを行うことができる。
【００２５】
請求項３に記載の発明は、前記収納体が前記格納体に格納された状態で、前記格納体の外部から前記物品が見えるように前記格納体に透明又は半透明の部材が設けられていることを特徴としている。
【００２６】
請求項３に記載の発明では、収納体が格納体に格納された状態で、格納体の外部から物品が見えるように格納体に透明又は半透明の部材を設けることによって、収納体に物品を陳列することができる。
【００２７】
請求項４に記載の発明は、前記記憶手段から発信される信号は、電磁波であり、かつ前記格納体に設けられた発信手段から発信される電磁波を受信した前記記憶手段から発信されることを特徴としている。
【００２８】
請求項４に記載の発明では、記憶手段から発信される信号は電磁波である。そして、格納体に設けられた発信手段から電磁波を発信し、この電磁波を受信した記憶手段から信号としての電磁波が発信される。
【００２９】
よって、電磁波は電磁誘導等に比べて長い距離を伝送することができるので、発信手段及び受信手段の数を少なくすることができる。
【００３０】
また、記憶手段が受信した電磁波のエネルギーによって記憶手段から電磁波を発信するので、記憶手段に電源を設ける必要がない。
【００３１】
請求項５に記載の発明は、前記収納体の少なくとも一部は、電磁波を透過する材料によって形成されていることを特徴としている。
【００３２】
請求項５に記載の発明では、電磁波を透過する材料によって収納体の少なくとも一部が形成されている。
【００３３】
よって、記憶手段が収納体に覆われてしまうように物品が収納体に収納されてしまった場合においても、この記憶手段を覆っている収納体は電磁波を透過するので、記憶手段は、電磁波を受信することができ、さらには電磁波を発信することができる。
【００３４】
また、収納体が障害物になってある方向から入射された電磁波が到達できなくなる領域（ヌルポイント）を減らすことができるので、格納体に設ける発信手段及び受信手段の数を少なくすることができる。
【００３５】
また、収納体が電磁波を透過するので、発信手段や記憶手段から発信された電磁波の伝送経路中に収納体が存在しても、伝送の邪魔にならない。これにより、発信手段から電磁波が発信されてからこの電磁波を記憶手段が受信するまでの時間や、記憶手段から電磁波が発信されてからこの電磁波を受信手段が受信するまでの時間が短くなる。すなわち、物品に付加された記憶手段の情報を読取手段によって読み取る時間が短くなる。
【００３６】
また、収納体が電磁波の伝送の邪魔にならないので、収納体の収納構造に自由度を与えることができる（例えば、棚構造を備えた収納体の棚板に、電磁波を透過する材料で形成された仕切り板を多く配置しても電磁波の伝送に大きな影響を与えない）。
【００３７】
請求項６に記載の発明は、電磁波を反射する反射層が、前記収納体の少なくとも一部を覆うように前記格納体に設けられていることを特徴としている。
【００３８】
請求項６に記載の発明では、電磁波を反射する反射層が格納体に設けられている。そして、この反射層は収納体の少なくとも一部を覆うように設けられている。
【００３９】
よって、ある方向から入射された電磁波が到達できない位置に記憶手段が付加されている場合においても、反射層によって反射された電磁波がさまざまな角度から物品に入射するので、この電磁波を記憶手段が受信することができる。
【００４０】
また、受信手段が設けられている位置とは異なった方向に、記憶手段から電磁波が発信された場合においても、この電磁波は、反射層に対する反射を繰り返すことにより受信手段に到達するので、この電磁波を受信手段が受信することができる。
【００４１】
これらにより、格納体に設ける発信手段及び受信手段の数を少なくすることができる。
【００４２】
また、反射層によって、格納体の外部に電磁波が漏洩するのを低減することができる。これにより、例えば、収納体がそれぞれ格納された２つの格納体を近づけて配置した場合においても、一方の格納体に設けられた発信手段やこの格納体内に存在する物品に付加された記憶手段から発信された電磁波が、他方の格納体に設けられた受信手段によって誤って受信されるのを防ぐことができる。
【００４３】
請求項７に記載の発明は、電磁波を反射して散乱させる散乱層が、前記収納体の少なくとも一部を覆うように前記格納体に設けられていることを特徴としている。
【００４４】
請求項７に記載の発明では、電磁波を反射して散乱させる散乱層が格納体に設けられている。そして、この散乱層は収納体の少なくとも一部を覆うように設けられている。
【００４５】
電磁波の反射が同じ場所で繰り返されていると、これらの電磁波が重なり合って定在波が発生する。そして、この定在波と、発信手段や記憶手段から発信された電磁波とが干渉して電磁波を伝送できない領域（ヌルポイント）を作り出してしまうことがある。
【００４６】
そこで、格納体に散乱層を設けることによって、散乱層に反射する電磁波を散乱させる。これにより、同じ場所で繰り返される電磁波の反射を減らして定在波の発生を低減することができるので、格納体に設ける発信手段及び受信手段の数を少なくすることができる。
【００４７】
請求項８に記載の発明は、前記反射層又は前記散乱層の少なくとも一部が開閉可能であることを特徴としている。
【００４８】
請求項８に記載の発明では、反射層又は散乱層の少なくとも一部が開閉可能になっている。
【００４９】
これにより、収納体を格納体に格納した状態において、反射層又は散乱層の少なくとも一部を開状態にすれば、物品の出し入れを行うことができる。
【００５０】
また、反射層又は散乱層の少なくとも一部を閉状態にすれば、収納体のより多くの面積を反射層又は散乱層によって覆うことができるので、発信手段や記憶手段から電磁波を発信させたときに、請求項６又は７の効果をより高めることができる。
【００５１】
請求項９に記載の発明は、電磁波を吸収する吸収部材が、前記発信手段の周囲に設けられていることを特徴としている。
【００５２】
請求項９に記載の発明では、発信手段の周囲に、電磁波を吸収する吸収部材が設けられている。
【００５３】
電磁波の反射が同じ場所で繰り返されていると、これらの電磁波が重なり合って定在波が発生する。そして、この定在波と、発信手段や記憶手段から発信された電磁波とが干渉して電磁波を伝送できない領域（ヌルポイント）を作り出してしまうことがある。
【００５４】
そこで、定在波が発生しやすい発信手段の周囲に吸収部材を設けることにより、この付近で繰り返し反射される電磁波を吸収する。これにより、定在波の発生を低減することができるので、格納体に設ける発信手段及び受信手段の数を少なくすることができる。
【発明の効果】
【００５５】
本発明は上記構成としたので、グループ単位で物品を管理することができる。
【発明を実施するための最良の形態】
【００５６】
図面を参照しながら、本発明の実施形態に係る物品管理装置を説明する。
【００５７】
まず、本発明の第１の実施形態に係る物品管理装置について説明する。
【００５８】
図１の平面図には、医療の学習を行う学習施設１２が示されている。学習施設１２は、周囲を外壁３４で囲まれており、学習室１４、廊下１６、倉庫１８によって構成されている。
【００５９】
学習室１４の全周に渡って廊下１６が配置され、学習室１４と廊下１６との間には間仕切り壁２０が設けられている。また、倉庫１８は、廊下１６を挟んで学習室１４の隣りに配置され、廊下１６と倉庫１８の間には間仕切り壁２２が設けられている。
【００６０】
学習室１４には、学習用テーブル２６が３つ並んで配置され、略中央の学習用テーブル２６付近には、後述する収納体としての移動棚２８を搬出入するための出入口３０Ａ、３０Ｂが設けられている。
【００６１】
学習室１４の周囲には、後述する格納体としての陳列庫３２が、間仕切り壁２０と交互に複数設置されている。そして、各陳列庫３２には移動棚２８がそれぞれ格納されている。
【００６２】
倉庫１８の中には、学習室１４の周囲に設置された陳列庫３２と同じ構成の陳列庫３６が、外壁３４に沿って５つ設置され、各陳列庫３６には移動棚２８がそれぞれ格納されている。
【００６３】
また、学習室１４の周囲に設置された陳列庫３２と同じ構成の陳列庫３８が、間仕切り壁２２付近に１つ設置されている。この陳列庫３８には移動棚２８が格納されていない。
【００６４】
さらに、倉庫１８の中には、陳列庫に格納されていない６つの移動棚２８が保管されている。
【００６５】
間仕切り壁２２にも移動棚２８を搬出入するための出入口４０が設けられている。
【００６６】
図２に示すように、収納体としての移動棚２８では、４枚の棚板４２Ａ〜４２Ｄ（上から下に順に４２Ａ、４２Ｂ、４２Ｃ、４２Ｄ）が、これらの棚板４２Ａ〜４２Ｄの四隅で４本の角柱状の支柱４４によって略水平に支持されている。すなわち、移動棚２８は、板を平らにかけ渡して物品を載せる一般的な棚構造を備えるものである。
【００６７】
支柱４４の下端部にはキャスター４６が設けられ、これによって移動棚２８は水平方向に自由に移動可能となっている。
【００６８】
棚板４２Ａ〜４２Ｄの略中央には、板状の仕切部材４８Ａ〜４８Ｃが棚板４２Ｂ〜４２Ｄの上面に対して略垂直にそれぞれ設けられている。仕切部材４８Ａ〜４８Ｃの上端部は、これらの仕切部材４８Ａ〜４８Ｃの上方に配置された棚板と接合され、仕切部材４８Ａ〜４８Ｃの下端部は、これらの仕切部材４８Ａ〜４８Ｃの下方に配置された棚板と接合されている。
【００６９】
棚板４２Ａ〜４２Ｄ、支柱４４、仕切部材４８Ａ〜４８Ｃは、低発泡プラスチックによって形成されている。低発泡プラスチックは、電磁波に対する反射損失が大きな材料なので（周波数が９５３ＭＨｚの電磁波に対する反射損失は２３ｄＢ程度になる）、後述する発信手段としてのアンテナ５０や記憶手段としてのＩＣタグ５２から発信される電磁波を透過させることができる。
【００７０】
電磁波に対する反射損失とは、図３に示すように、ある対象物５４に照射された電磁波５６の電界強度に対する、この対象物５４に反射した電磁波５８Ｂの電界強度の減る度合いを示す値である。対象物５４の内部で電磁波が吸収されなければ、電磁波に対する反射損失が大きいほど、電磁波に対する対象物の透過性が高く、電磁波に対する反射損失が小さいほど電磁波に対する対象物の透過性が低くなる。
【００７１】
図２に示すように、移動棚２８の下部には収納スペースが形成されており、ここに実習台６２及びキャビネット６４が格納される。実習台６２及びキャビネット６４の底部にはキャスター６６、６８がそれぞれ設けられ、これによって実習台６２及びキャビネット６４は水平方向に自由に移動可能となっている。
【００７２】
実習台６２及びキャビネット６４は、移動棚２８に格納した状態で移動棚２８に固定できるようにしてもよい。このようにすれば、実習台６２及びキャビネット６４を移動棚２８と一体に移動させることができる。
【００７３】
棚板４２Ｂ〜４２Ｄ及び実習台６２の上には、医療を学習するための教材（全身模型、胸部模型、頭部模型など）、医療器具、操作マニュアル、及びパソコン等の物品６０が置かれている。説明の都合上、図２に示された物品６０は全て同じ形状になっているが、全ての物品６０が同じ物でなくてもよいし、棚板４２Ｂ〜４２Ｄ及び実習台６２の全てに物品６０が置かれていなくてもよい。
【００７４】
棚板４２Ｂ〜４２Ｄ及び実習台６２の上に置かれた物品６０の側面には、記憶手段としてのＩＣタグ５２が付加されている。
【００７５】
このＩＣタグ５２は、無線交信機能を有するＩＣメモリであり、物品６０の物品番号、製造メーカー名、製品名、型番、製造番号、納品日等の情報が記憶されている。また、ＩＣタグ５２には、９５３ＭＨｚのＵＨＦ帯の電磁波を受信し、さらにはＩＣタグ５２に記憶された情報を信号（９５３ＭＨｚのＵＨＦ帯の電磁波）として発信するためのアンテナを備えている。
【００７６】
図２に示すように、移動棚２８に備えられた棚構造では、棚板４２Ｂ、４２Ｃを介して上下に物品６０が収納され、また、仕切部材４８Ａ〜４８Ｃを介して左右に物品６０が収納されている。また、棚板４２Ａ〜４２Ｄ、仕切部材４８Ａ〜４８Ｃ、及び支柱４４は、電磁波を透過する低発泡プラスチックによって形成されている。
【００７７】
すなわち、移動棚２８は、ＩＣタグ５２からの電磁波の発信が可能となるように物品６０を収納する収納構造を備えている。
【００７８】
実習台６２及びキャビネット６４が格納された移動棚２８が、陳列庫３２に格納された状態が図４に示されている。図４のＡ−Ａ断面図である図５（Ａ）、及び図５（Ａ）のＢ−Ｂ断面図である図５（Ｂ）に示すように、格納体としての陳列庫３２は、移動棚２８が格納される略直方体の空間を囲む、鋼製の３枚の側板７０Ａ〜７０Ｃと鋼製の１枚の天井板７２によって構成されている。
【００７９】
陳列庫３２には、開口部７４が設けられている。すなわち、陳列庫３２の側面の内の一面が開放されている。そして、図１に示すように、この開口部７４の開口面Ｆが学習室１４に面するように、各陳列庫３２は設置されている。
【００８０】
図５（Ａ）に示すように、陳列庫３２の内側にはアンテナ５０が設けられている。アンテナ５０は、９５３ＭＨｚのＵＨＦ帯の電磁波の発信及び受信を行う。すなわち、アンテナ５０は、信号の発信手段と受信手段の両方の役割りを兼ねている。
【００８１】
図２、４、５（Ａ）には、説明の都合上、１つのアンテナ５０しか示されていないが、陳列庫３２の大きさに応じた数のアンテナ５０が陳列庫３２の内側に設けられている。すなわち、１つ以上のアンテナ５０が陳列庫３２の内側に設けられている。そして、移動棚２８に収納された物品６０に付加されたＩＣタグ５２の全てに何れかのアンテナ５０から発信された電磁波が到達でき、また、移動棚２８に収納された物品６０に付加されたＩＣタグ５２から発信された電磁波が何れかのアンテナ５０に到達できるようになっている。
【００８２】
図６に示すように、アンテナ５０は、読取手段としてのリーダライタ装置７６につなげられ、このリーダライタ装置７６は、管理手段としてのパーソナルコンピューター７８につなげられている。パーソナルコンピューター７８は、必要に応じて、ＩＣタグ発行器、サーバー、及び情報データベース等につなげてもよい。
【００８３】
陳列庫３２の内側に設けられた全てのアンテナ５０は、１つのリーダライタ装置７６につなげられている。リーダライタ装置７６のアンテナ接続可能数を上回る数のアンテナ５０を陳列庫３２に設ける場合には、リーダライタ装置７６を増やして、それぞれのリーダライタ装置７６に複数のアンテナ５０を分散させてつなげればよい。リーダライタ装置７６の数を出来るだけ少なくして低コスト化を図るのが好ましい。
【００８４】
これらの構成により、図５に示すように、移動棚２８が陳列庫３２に格納された状態において、パーソナルコンピューター７８からの命令によって、リーダライタ装置７６を介してアンテナ５０から信号としての電磁波を発信する。
【００８５】
そして、物品６０に付加されたＩＣタグ５２に備えられたアンテナがこの電磁波を受信する。ここで、ＩＣタグ５２が受けた電磁波のエネルギーを電力に変換し、この電力を使って、ＩＣタグ５２に記憶された情報をＩＣタグ５２に備えられたアンテナから電磁波として発信する。
【００８６】
ＩＣタグ５２から発信された電磁波はアンテナ５０によってＩＣタグ５２と非接触で受信され、この電磁波はパーソナルコンピューター７８からの命令により情報としてリーダライタ装置７６に読み取られる。
【００８７】
そして、これまで説明したように、物品管理装置１０は、物品６０に付加された記憶手段としてのＩＣタグ５２、格納体としての陳列庫３２、３６、３８、陳列庫３２、３６、３８に設けられた発信手段及び受信手段としてのアンテナ５０、収納体としての移動棚２８、及び読取手段としてのリーダライタ装置７６によって構成されている。
【００８８】
なお、陳列庫３２に格納された移動棚２８には、例えば、その日の学習で使用されるような直ぐに使用される物品６０が収納されている。また、陳列庫３６に格納された移動棚２８には、その週に使用されるような短い期間内に使用される物品６０が収納されている。また、陳列庫に格納されずに倉庫１８に保管されている移動棚２８には、何ヶ月後かに使用されるような長期間使用されない物品６０が収納されている。
【００８９】
次に、本発明の第１の実施形態に係る物品管理装置の作用及び効果について説明する。
【００９０】
図１に示した学習施設１２に物品管理装置１０を適用した一例を説明する。
【００９１】
学習室１４の周囲に設置された陳列庫３２の全てには、その日の学習で必要な物品６０が収納された移動棚２８が格納されている。
【００９２】
まず、学習を開始する前に、陳列庫３２に格納された移動棚２８の物品収納状態を確認する。
【００９３】
物品収納状態を確認する方法は、まず、パーソナルコンピューター７８からの命令によって、リーダライタ装置７６を介してアンテナ５０から信号としての電磁波を発信する。そして、物品６０に付加されたＩＣタグ５２がこの電磁波を受信し、この電磁波のエネルギーを使って、ＩＣタグ５２に記憶された情報をＩＣタグ５２から電磁波として発信する。ＩＣタグ５２から発信された電磁波はアンテナ５０によって受信され、この電磁波はパーソナルコンピューター７８からの命令により情報としてリーダライタ装置７６に読み取られる。なお、以降の説明では、リーダライタ装置７６及びアンテナ５０をまとめて情報入手手段と呼ぶ。
【００９４】
ここで、図２に示すように、移動棚２８に備えられた棚構造では、棚板４２Ｂ、４２Ｃを介して上下に物品６０が収納され、また、仕切部材４８Ａ〜４８Ｃを介して左右に物品６０が収納されている。また、移動棚２８を構成する部材（棚板４２Ａ〜４２Ｄ、支柱４４、及び仕切部材４８Ａ〜４８Ｃ）は、電磁波を透過する低発泡プラスチックによって形成されている。
【００９５】
よって、ＩＣタグ５２が移動棚２８の部材に覆われてしまうように物品６０が移動棚２８に収納されてしまった場合においても、このＩＣタグ５２を覆っている移動棚２８の部材は電磁波を透過するので、ＩＣタグ５２は、電磁波を受信することができ、さらには電磁波を発信することができる。
【００９６】
すなわち、物品６０に付加されたＩＣタグ５２が仕切部材４８Ａ〜４８Ｃ、支柱４４、及び棚板４２Ａ〜４２Ｄに接しないように物品６０を棚板４２Ｂ〜４２Ｄ上に置かなくても、ＩＣタグ５２は、電磁波を受信することができ、さらには電磁波を発信することができる。
【００９７】
このように、移動棚２８はＩＣタグ５２からの信号発信が可能となるように物品６０を収納する収納構造を備えているので、移動棚２８に物品６０をまとめて収納しても、物品６０に付加されたＩＣタグ５２の情報をリーダライタ装置７６で確実に読み取ることが可能となる。これにより、グループ（移動棚２８）単位で物品６０を管理することができる。
【００９８】
また、電磁波を透過する材料によって移動棚２８が形成されているので、移動棚２８が電磁波の障害物になってある方向から入射された電磁波が到達できなくなる領域（ヌルポイント）を減らすことができる。これにより、陳列庫３２に設ける発信手段及び受信手段としてのアンテナ５０の数を少なくすることができる。
【００９９】
また、移動棚２８が電磁波を透過するので、アンテナ５０やＩＣタグ５２から発信された電磁波の伝送経路中に移動棚２８が存在しても、伝送の邪魔にならない。これにより、アンテナ５０から電磁波が発信されてからこの電磁波をＩＣタグ５２が受信するまでの時間や、ＩＣタグ５２から電磁波が発信されてからこの電磁波をアンテナ５０が受信するまでの時間が短くなる。すなわち、物品６０に付加されたＩＣタグ５２の情報をリーダライタ装置７６によって読み取る時間が短くなる。
【０１００】
また、移動棚２８が電磁波の伝送の邪魔にならないので、移動棚２８の収納構造に自由度を与えることができる（例えば、棚構造を備えた移動棚２８の棚板４２Ｂ〜４２Ｄに、電磁波を透過する材料によって形成された仕切部材を多く配置しても電磁波の伝送に大きな影響を与えない）。
【０１０１】
また、電磁波は電磁誘導等に比べて長い距離を伝送することができるので、発信手段及び受信手段としてのアンテナ５０の数を少なくすることができる。
【０１０２】
また、ＩＣタグ５２が受信した電磁波のエネルギーによってＩＣタグ５２から電磁波を発信するので、ＩＣタグ５２に電源を設ける必要がない。
【０１０３】
次に、移動棚２８の物品収納状態を確認した結果、学習に必要な物品６０が不足していたり、間違った物品６０が収納されていたり、又は間違った移動棚２８が陳列庫３２に格納されていた等の場合には、物品６０を補充したり、物品６０を個々に交換したり、又は移動棚２８毎一括して交換する。
【０１０４】
このとき、陳列庫３２には開口部７４が設けられているので、移動棚２８が陳列庫３２に格納された状態においても、移動棚２８への物品６０の出し入れを行うことができる。
【０１０５】
また、物品６０は、移動棚２８に収納されているので、グループ（移動棚２８）単位で一括して管理する物品６０を移動させたり、交換することができる。
【０１０６】
移動棚２８毎一括して交換する場合には、陳列庫３２の開口部７４から移動棚２８を学習室１４内に引き出した後、移動棚２８を、学習室１４の出入口３０Ａ、３０Ｂ、廊下１６、倉庫１８の出入口４０の順に移動させて倉庫１８に運び込む。そして、ここで正規の移動棚２８と交換し、倉庫１８の出入り口４０、廊下１６、学習室１４の出入口３０Ａ、３０Ｂの順に移動させて元の陳列庫３２に格納する。
【０１０７】
物品６０の補充や交換は、移動棚２８毎一括して交換する場合と同様に移動棚２８を倉庫１８まで移動させて、この倉庫１８内で行ってもよい。
【０１０８】
次に、学習が開始される。学習中においても、陳列庫３２に格納された移動棚２８の物品収納状態を情報入手手段によって常に確認し続ける。
【０１０９】
これによって、例えば、学習室１４にモニターを設けておき、その学習に必要な物品６０が移動棚２８から取り出されていないときにはその物品６０を表示して知らせたり、又は移動棚２８から取り出された物品６０に対応した学習映像を自動的にモニターに映し出すことができる。
【０１１０】
また、物品６０が移動棚２８から取り出された回数を記録し、学習した回数を把握したり、物品６０のメンテナンスのタイミングを決めることができる。
【０１１１】
さらには、その日に取り出された物品６０から、学習の進捗度を把握し、この進捗度に応じて翌日用に設置する移動棚２８に収納する物品６０を入れ替えることができる。
【０１１２】
そして、この他にも、目的に応じて物品管理装置１０をさまざまな運用形態に適用することができる。
【０１１３】
次に、学習が終了したときには、陳列庫３２に格納された各移動棚２８に所定の物品６０が戻されているかを情報入手手段によって確認し、各移動棚２８に所定の物品６０が戻されていない場合には、例えば、モニターにこの状態を表示し、適切な移動棚２８に物品６０を戻す（例えば、どの移動棚２８の物品６０をどの移動棚２８に移すといったような）作業手順が示される。また、物品６０が消耗品である場合には、情報入手手段によってこの物品６０が不足していることがわかるので、この物品６０の補充が確実に行われる。
【０１１４】
次に、学習が終了した後に、陳列庫３２に格納されていた移動棚２８を、翌日の学習に必要な移動棚２８と交換する。移動棚２８の交換方法は、先に説明した（学習に必要な物品６０が不足していた等の場合に移動棚２８毎一括して交換する）方法と同様である。
【０１１５】
倉庫１８の陳列庫３６には、その週の学習に必要な物品６０が収納された移動棚２８が格納されているので、この移動棚２８と交換するだけでよい。この交換前に、交換する移動棚２８の物品収納状態を情報入手手段によって確認すれば、移動棚２８の交換間違いを防ぐことができる。
【０１１６】
また、倉庫１８で、移動棚２８に収納されている物品６０を個々に交換したり、物品６０を移動棚２８に補充し、その場で翌日の学習内容に応じた物品６０が収納された移動棚２８を用意して、この移動棚２８を移動させて学習室１４の周囲に設置された陳列庫３２に格納してもよい。
【０１１７】
各陳列庫３６にそれぞれ格納された移動棚２８に収納されている物品６０の収納状態は情報入手手段によって確認することができるので、学習内容に応じた物品６０が収納された移動棚２８を用意する場合において、「どの移動棚２８にあるどの物品６０をどの移動棚２８にあるどの物品６０と交換する。」、「どの移動棚２８にあるどの物品６０をどの移動棚２８に移す。」、又は「どの移動棚２８にどの物品６０を補充する。」等といった物品６０の交換、移動、又は補充作業を効率よく行うことができる。
【０１１８】
陳列庫に格納されずに倉庫１８に保管されている移動棚２８には、何ヶ月後かに使用されるような長期間使用されない物品６０が収納されている。このような移動棚２８に収納されている物品６０を予定外に直ぐに使用する必要が生じた際には、間仕切り壁２２付近に設置されている陳列庫３８にこの移動棚２８を格納し、この移動棚２８に収納されている物品６０の収納状態を情報入手手段によって確認する。
【０１１９】
このように、物品管理装置１０においては、移動棚２８と同数の陳列庫を用意しなくても、物品６０の管理が必要なときに移動棚２８を移動して陳列庫に格納すれば、移動棚２８に収納された物品６０の情報を把握することができる。すなわち、物品管理装置１０に用いる、発信手段及び受信手段としてのアンテナ５０や読取手段としてのリーダライタ装置の数を少なくすることができるので、低コスト化が図れる。
【０１２０】
次に、翌日の学習に必要な移動棚２８が設置された後も各移動棚２８の物品収納状態を陳列庫３２、３６の情報入手手段によって終日確認し続ける。これにより、物品６０の盗難を防止することができる。
【０１２１】
なお、第１の実施形態では、移動棚２８を低発泡プラスチックによって形成した例を示したが、電磁波を透過する材料や部材によって形成されていればよく、アクリル板、ペーパーハニカム板等によって移動棚２８を形成してもよい。電磁波に対する反射損失が２０ｄＢ以上の材料によって移動棚２８を形成すれば、より優れた電磁波に対する透過性能を発揮できるので好ましい。
【０１２２】
電磁波を透過する材料によって形成された移動棚２８（特に、棚板４２Ｂ〜４２Ｄ）の表面を、フェルト、塩化ビニールシート、ポリ合金、メラミン樹脂等で覆って表面を保護するようにしてもよい。
【０１２３】
また、移動棚２８の収納構造は、ＩＣタグ５２からの信号（電磁波）の発信が可能となるように物品６０を収納する収納構造であればよい。すなわち、棚板及び仕切部材はどのような形状や配置であってもよいし、例えば、キャビネット等のような棚構造以外の収納構造であってもよい。
【０１２４】
また、移動棚２８を構成する部材（棚板４２Ａ〜４２Ｄ、支柱４４、及び仕切部材４８Ａ〜４８Ｃ）の一部又は全部に複数の穴を設けたり、格子状や網状等の部材によって移動棚２８の一部又は全部を形成して電磁波に対する透過性を向上させてもよい。この場合、移動棚２８の一部又は全部は、電磁波を透過する材料によって形成してもよいし、電磁波に対する十分な透過性が得られるのであれば電磁波を透過する材料でなくてもよい。
【０１２５】
また、物品６０の収納の仕方に応じて移動棚２８の一部を電磁波を透過する材料で形成してもよい。例えば、ＩＣタグ５２が必ず物品６０の側面にくるように物品６０を棚板４２Ｂ〜４２Ｄ上に置くのであれば、仕切部材４８Ａ〜４８Ｃと支柱４４だけを電磁波を透過する材料で形成すればよい。また、図２に示すように、ＩＣタグ５２を物品６０の側面に付加し、物品６０を仕切部材４８Ａ〜４８Ｃや支柱４４に接しないように物品６０を棚板４２Ｂ〜４２Ｄ上に置くのであれば、電磁波を透過する材料で移動棚２８を形成しなくてもよく、電磁波の吸収性の低い材料によって形成すればよい。
【０１２６】
また、鋼製の側板７０Ａ〜７０Ｃ、及び鋼製の天井板７２によって、陳列庫３２、３６、３８を構成した例を示したが、側板７０Ａ〜７０Ｃ、及び天井板７２を形成する材料は電磁波を吸収する材料でなければよく、アルミニウムやステンレス等の板を側板及び天井板としてもよい。また、陳列庫３２、３６、３８の形状は、移動棚２８を覆う形状であればよい。
【０１２７】
開口部７４は、陳列庫３２、３６、３８のどの場所に設けられていてもよいし、陳列庫３２、３６、３８に複数設けられていてもよい。
【０１２８】
また、移動棚２８、実習台６２、キャビネット６４にＩＣタグ５２を付加して、ＩＣタグ５２に記憶されたこれら（移動棚２８、実習台６２、キャビネット６４）の情報を管理してもよい。
【０１２９】
また、倉庫１８に固定棚を設けて、移動棚２８と併用してもよい。
【０１３０】
次に、本発明の第２の実施形態に係る物品管理装置について説明する。
【０１３１】
第２の実施形態は、第１の実施形態の陳列庫３２を、電磁波を反射する反射層が設けられた陳列庫としたものである。したがって、以下の説明において、第１の実施形態と同じ構成のものは、同符号を付すると共に、適宜省略して説明する。
【０１３２】
図７（Ａ）の側断面図、及び図７（Ａ）のＣ−Ｃ断面図である図７（Ｂ）の平断面図には、実習台６２及びキャビネット６４が格納された移動棚２８が、陳列庫８０に格納されている状態が示されている。図７（Ａ）、（Ｂ）に示すように、格納体としての陳列庫８０は、移動棚２８が格納される略直方体の空間を囲む木製の３枚の側板８２Ａ〜８２Ｃと木製の１枚の天井板８４によって構成されている。
【０１３３】
そして、第１の実施形態の陳列庫３２と同様に、陳列庫８０には、開口部８８が設けられている。すなわち、陳列庫８０の側面の内の一面が開放されている。そして、この開口部８８の開口面Ｇが学習室１４に面するように、各陳列庫８０は学習室１４の周囲に設置されている。
【０１３４】
側板８２Ａ〜８２Ｃと天井板８４の内側には、電磁波を反射する反射層としてのアルミニウムシート８６が設けられている。すなわち、開口面Ｇを除いて移動棚２８を覆うようにアルミニウムシート８６が陳列庫８０に設けられている。
【０１３５】
アルミニウムシート８６は、電磁波に対する透過損失が大きな材料なので（周波数が９５３ＭＨｚの電磁波に対する透過損失は８０ｄＢ程度になる）、発信手段としてのアンテナ５０や記憶手段としてのＩＣタグ５２から発信される電磁波を反射することができる。
【０１３６】
電磁波に対する透過損失とは、図３に示すように、ある対象物５４に照射された電磁波５６の電界強度に対する、この対象物５４で透過した電磁波５８Ａの電界強度の減る度合いを示す値である。対象物５４の内部で電磁波が吸収されなければ、電磁波に対する透過損失が大きいほど、電磁波に対する対象物の反射性が高く、電磁波に対する透過損失が小さいほど電磁波に対する対象物の反射性が低くなる。
【０１３７】
次に、本発明の第２の実施形態に係る物品管理装置の作用及び効果について説明する。
【０１３８】
第２の実施形態では、第１の実施形態と同様の効果を得ることができる。
【０１３９】
また、図７（Ａ）、（Ｂ）に示すように、ある方向から入射された電磁波が到達できない位置にＩＣタグ５２が付加されている場合においても、アルミニウムシート８６によって反射された電磁波がさまざまな角度から物品６０に入射するので、この電磁波をＩＣタグ５２が受信することができる。
【０１４０】
また、受信手段としてのアンテナ５０が設けられている位置とは異なった方向に、ＩＣタグ５２から電磁波が発信された場合においても、この電磁波は、アルミニウムシート８６に対する反射を繰り返すことにより受信手段としてのアンテナ５０に到達するので、この電磁波をアンテナ５０が受信することができる。
【０１４１】
これらにより、陳列庫８０に設ける発信手段及び受信手段としてのアンテナ５０の数を少なくすることができる。
【０１４２】
また、アルミニウムシート８６によって、陳列庫８０の外部に電磁波が漏洩するのを低減することができる。これにより、例えば、移動棚２８がそれぞれ格納された２つの陳列庫８０を近づけて配置した場合においても、一方の陳列庫８０に設けられた発信手段としてのアンテナ５０やこの陳列庫８０内に存在する物品６０に付加されたＩＣタグ５２から発信された電磁波が、他方の陳列庫８０に設けられた受信手段としてのアンテナ５０によって誤って受信されるのを防ぐことができる。
【０１４３】
なお、第２の実施形態では、反射層としてアルミニウムシート８６を用いた例を示したが、反射層は電磁波を反射するものであればよく、鉄板、銅箔、ステンレスメッシュ等の導電性を有する材料を用いることができる。また、電磁波に対する透過損失が５ｄＢ程度の材料を用いて電磁波の反射を抑えれば、開口部８８からの電磁波の漏洩を低減することができる。
【０１４４】
次に、本発明の第３の実施形態に係る物品管理装置について説明する。
【０１４５】
第３の実施形態は、第１の実施形態の陳列庫３２を、電磁波を反射して散乱させる散乱層が設けられた陳列庫としたものである。したがって、以下の説明において、第１の実施形態と同じ構成のものは、同符号を付すると共に、適宜省略して説明する。
【０１４６】
図８（Ａ）の側断面図、及び図８（Ａ）のＤ−Ｄ断面図である図８（Ｂ）の平断面図には、実習台６２及びキャビネット６４が格納された移動棚２８が、陳列庫９０に格納されている状態が示されている。図８（Ａ）、（Ｂ）に示すように、格納体としての陳列庫９０は、移動棚２８が格納される略直方体の空間を囲む木製の３枚の側板９２Ａ〜９２Ｃと木製の１枚の天井板９４によって構成されている。
【０１４７】
そして、第１の実施形態の陳列庫３２と同様に、陳列庫９０には、開口部９６が設けられている。すなわち、陳列庫９０の側面の内の一面が開放されている。そして、この開口部９６の開口面Ｈが学習室１４に面するように、各陳列庫９０は学習室１４の周囲に設置されている。
【０１４８】
側板９２Ａ〜９２Ｃと天井板９４の内側には、電磁波を反射して散乱させる散乱層９８が設けられている。すなわち、開口面Ｈを除いて移動棚２８を覆うように散乱層９８が陳列庫９０に設けられている。
【０１４９】
散乱層９８は、電磁波を反射して散乱させるものであればよく、例えば、電磁波を反射する材料で表面が覆われた角錐状の部材を敷き並べて形成してもよいし、電磁波を反射する材料で表面が覆われた波板等を用いてもよい。
【０１５０】
次に、本発明の第３の実施形態に係る物品管理装置の作用及び効果について説明する。
【０１５１】
第３の実施形態では、第１の実施形態と同様の効果を得ることができる。
【０１５２】
また、一般に、電磁波の反射が同じ場所で繰り返されていると、これらの電磁波が重なり合って定在波が発生することがある。そして、この定在波と、発信手段としてのアンテナ５０やＩＣタグ５２から発信された電磁波とが干渉して電磁波を伝送できない領域（ヌルポイント）を作り出してしまうことがある。
【０１５３】
そこで、第３の実施形態では図８（Ａ）、（Ｂ）に示すように、陳列庫９０に散乱層９８を設けることによって、散乱層９８に反射する電磁波を散乱させる。これにより、同じ場所で繰り返される電磁波の反射を減らして定在波の発生を低減することができるので、陳列庫９０に設ける発信手段及び受信手段としてのアンテナ５０の数を少なくすることができる。
【０１５４】
次に、本発明の第４の実施形態に係る物品管理装置とその作用及び効果について説明する。
【０１５５】
第４の実施形態は、第２の実施形態の陳列庫８０の開口面Ｇを覆うように反射層を設け、この反射層を開閉可能にしたものである。したがって、以下の説明において、第２の実施形態と同じ構成のものは、同符号を付すると共に、適宜省略して説明する。
【０１５６】
図９の側断面図には、実習台６２及びキャビネット６４が格納された移動棚２８が、陳列庫１００に格納されている状態が示されている。陳列庫１００は、図７（Ａ）の陳列庫８０と同様に、移動棚２８が格納される略直方体の空間を囲む木製の３枚の側板８２Ａ〜８２Ｃと木製の１枚の天井板８４によって構成されている。
【０１５７】
また、陳列庫１００に設けられた開口部８８の開口面Ｇを覆うように、電磁波を遮蔽する巻き取り式のスクリーン１０２が展開されている。スクリーン１０２の内側には電磁波を反射する反射層が形成されている（不図示）。反射層は、導電性の布で形成するのが好ましい。
【０１５８】
そして、必要に応じてスクリーン１０２をローラー１０４によって巻き上げて開口面Ｇから物品６０を見たり、物品６０の出し入れを行う。すなわち、陳列庫１００に設けられた反射層の一部を開状態にすることによって、移動棚２８を陳列庫１００に格納した状態においても、物品６０の出し入れを行うことができる。
【０１５９】
また、開口面Ｇを覆うようにスクリーン１０２を展開させることにより、移動棚２８のより多くの面を反射層によって覆った状態にできるので、発信手段としてのアンテナ５０や記憶手段としてのＩＣタグ５２から電磁波を発信させたときに、陳列庫１００の外部に電磁波が漏洩するのを低減することができる。また、電磁波の反射回数が増えて電磁波の動きが活発になるので、陳列庫１００に設ける発信手段及び受信手段としてのアンテナ５０の数をより少なくすることができる。
【０１６０】
なお、第４の実施形態では、スクリーン１０２に形成されて開口面Ｇを覆う反射層を開閉可能にした例を示したが、これに限らず、陳列庫に設けられた反射層のどの部分を開閉可能にしてもよいし、陳列庫に設けられた反射層の全てを開閉可能にしてもよい。
【０１６１】
例えば、図１０の平断面図に示すように、陳列庫８０を構成する側板８２Ｂをこの側板８２Ｂに設けられたアルミニウムシート８６と一体に２分割し、この２分割された各側板の端部にヒンジ１０６を設けて側板８２Ｂを開き戸にしてもよい。
【０１６２】
このようにして、この側板８２Ｂに設けられた反射層としてのアルミニウムシート８６を開閉可能にすることにより、廊下１６側から移動棚２８を陳列庫８０に出し入れすることができる。
【０１６３】
また、反射層の開閉機構を巻き取り式のスクリーン１０２とした例を示したが、反射層が開閉できる機構であればよく、例えば、図１１（Ａ）、（Ｂ）の平断面図に示す機構を用いてもよい。
【０１６４】
図１１（Ａ）に示すように、陳列庫１０８にはこの陳列庫１０８の開口面Ｇを覆うように、蛇腹式の開閉扉１１０が設けられている。開閉扉１１０の内側には電磁波を反射する反射層が設けられている（不図示）。図１１（Ａ）は、開閉扉１１０を閉じて開口面Ｇを覆っている状態を示し、図１１（Ｂ）は、開閉扉１１０を開けている状態を示している。
【０１６５】
また、開閉扉１１０の代わりに、陳列庫１０８の開口面Ｇを覆うように透明又は半透明の部材を設けてもよい。このようにすれば、移動棚２８が陳列庫１０８に格納された状態で、陳列庫１０８の外部から物品６０が見えるようになるので、移動棚２８に物品６０を陳列することができる。透明又は半透明の部材に枠を設けて引き戸や開き戸のようにすれば、陳列庫１０８への移動棚２８の出し入れができ、また、移動棚２８が陳列庫１０８に格納された状態においても、物品６０の出し入れを行うことができる。また、この透明又は半透明の部材に電磁波シールド性を持たせてもよい。
【０１６６】
また、スクリーン１０２や開閉扉１１０の内側に、電磁波を反射して散乱させる散乱層を設けてもよい。移動棚２８の少なくとも一部を覆うようにして、散乱層を陳列庫の内側に設けている場合には、この散乱層のどの部分を開閉可能にしてもよいし、陳列庫に設けられた散乱層の全てを開閉可能にしてもよい。例えば、図８に示した陳列庫９０を構成する側板９２Ｂに設けられた散乱層９８をこの側板９２Ｂと一体に開閉するようにしてもよい。
【０１６７】
次に、本発明の第５の実施形態に係る物品管理装置とその作用及び効果について説明する。
【０１６８】
第５の実施形態は、第２の実施形態の陳列庫８０に備えられたアンテナ５０の周囲に電磁波を吸収する吸収部材を設けたものである。したがって、以下の説明において、第２の実施形態と同じ構成のものは、同符号を付すると共に、適宜省略して説明する。
【０１６９】
図１２は、図７（Ａ）に示した陳列庫８０の内側に設けられた発信手段及び受信手段としてのアンテナ５０を拡大して示したものである。
【０１７０】
図１２に示すように、発信手段及び受信手段としてのアンテナ５０の周囲に、電磁波を吸収する吸収部材１１２が設けられている。天井板８４の端部には、吸収部材１１２を固定しやすいように、天井板８４と同じ材料で形成された突出部１１４が設けられており、この突出部１１４の内側にもアルミニウムシート８６が設けられている。
【０１７１】
陳列庫８０の内側には１つ以上のアンテナ５０が設けられているが、吸収部材１１２はこれらの全てのアンテナ５０の周囲に設けてもよいし、一部のアンテナ５０の周囲に設けてもよい。
【０１７２】
電磁波の反射が同じ場所で繰り返されていると、これらの電磁波が重なり合って定在波が発生する。そして、この定在波と、発信手段としてのアンテナ５０や記憶手段としてのＩＣタグ５２から発信された電磁波とが干渉して電磁波を伝送できない領域（ヌルポイント）を作り出してしまうことがある。
【０１７３】
そこで、第５の実施形態では、定在波が発生しやすい発信手段としてのアンテナ５０の周囲に吸収部材１１２を設けることにより、この付近で繰り返し反射される電磁波を吸収する。これにより、定在波の発生を低減することができるので、格納体に設ける発信手段及び受信手段としてのアンテナ５０の数を少なくすることができる。
【０１７４】
なお、吸収部材１１２は、電磁波を吸収する材料によって形成されていればよく、例えば、フェライトタイル、ゴムフェライト、カーボン混入発泡材等を用いることができる。電磁波に対する反射減衰量が２０ｄＢ以上の材料によって吸収部材１１２を形成すれば、より高い電磁波吸収性を得ることができる。
【０１７５】
また、第５の実施形態では、第２の実施形態の陳列庫８０に備えられたアンテナ５０の周囲に吸収部材１１２を設けた例を示したが、第１の実施形態で示した陳列庫３２、３６、３８、第３の実施形態で示した陳列庫９０、及び第４の実施形態で示した陳列庫８０、１００、１０８に備えられた少なくとも１つのアンテナ５０の周囲に吸収部材１１２を設けてもよく、これらの場合においても、第５の実施形態と同様の効果を得ることができる。
【０１７６】
なお、第１〜第５の実施形態では、発信手段としてのアンテナ５０及び記憶手段としてのＩＣタグ５２から発信する信号として９５３ＭＨｚのＵＨＦ帯の電磁波を用いた例を示したが、信号は電磁波であればよい。２．４５ＧＨｚの電磁波（マイクロ波）は一般に２ｍ程度までの伝送距離が得られるので好ましく、９５３ＭＨｚのＵＨＦ帯の電磁波は一般に５ｍ程度までの伝送距離が得られるのでより好ましい。
【０１７７】
また、第２、第４、及び第５の実施形態で示した反射層８６や、第３の実施形態で示した散乱層９８は、移動棚２８の一部を覆っていたが、反射層８６や散乱層９８は、移動棚２８の少なくとも一部を覆うように設けてもよい。
【０１７８】
また、第１〜第５の実施形態では、物品管理装置１０を学習施設１２に適用した例を示したが、物品管理装置１０の適用範囲はこれに限らず、倉庫の在庫管理、スーパーマーケットの在庫管理や陳列品管理、病院における医療資材管理等に適用してもよい。
【０１７９】
ＩＣタグ５２に記憶させる情報の内容は、物品管理装置１０の適用対象に応じて適宜決めればよく、アンテナ５０からＩＣタグ５２に情報を送り、新たな情報をこのＩＣタグ５２に記憶させてもよい。例えば、物品６０の利用回数やメンテナンスの記録等の情報をアンテナ５０からＩＣタグ５２に送り、この情報をＩＣタグ５２に記憶させてもよい。
【０１８０】
また、第１〜第５の実施形態では、発信手段と受信手段の両方の機能を有するアンテナ５０を用いた例を示したが、発信手段と受信手段とで別々のアンテナを設けてもよい。
【０１８１】
また、第１〜第５の実施形態では、パッシブタイプのＩＣタグ５２を用いた例を示したが、電源が備えられたアクティブタイプのＩＣタグを用いてもよい。また、ＩＣタグ５２は、ラベル型、カード型、コイン型、及びスティック型等のどのような形状のものであってもよい。
【０１８２】
また、図１では、学習施設１２に物品管理装置１０を適用した場合の陳列庫３２、３６、３８、及び移動棚２８の配置の一例を示したが、陳列庫３２、３６、３８、及び移動棚２８の配置は必要に応じて適宜決めればよいし、また、全ての陳列庫に移動棚を格納していなくてもよい。
【０１８３】
例えば、学習施設１２における陳列庫３２、３６、３８、及び移動棚２８の配置を図１３のようにしてもよい。
【０１８４】
図１３では、学習室１４の周囲に複数の移動棚２８が配置されている。また、学習室１４の出入口３０Ａ、３０Ｂ付近の廊下１６に、移動棚２８が格納されていない陳列庫３２が設置されている。
【０１８５】
倉庫１８における陳列庫３６、３８、及び移動棚２８の配置は、図１と同様である。
【０１８６】
物品６０の管理を頻繁に必要としない場合には、このように移動棚２８を格納していない陳列庫３２を出入口３０Ａ、３０Ｂ付近に配置し、例えば、移動棚２８の搬入及び搬出時等のときに学習室１４の出入口３０Ａ、３０Ｂ付近に設けられた陳列庫３２で物品６０の状態を把握する。
【０１８７】
このようにして、移動棚２８と同数の陳列庫を用意しなくても、物品６０の管理が必要なときに移動棚２８を移動して陳列庫に格納すれば、移動棚２８に収納された物品６０の情報を把握することができる。すなわち、少ない数のアンテナ５０及びリーダライタ装置７６で物品管理装置１０を構築することができるので、低コスト化が図れる。
【０１８８】
以上、本発明の第１〜第５の実施形態について説明したが、本発明はこうした実施形態に何等限定されるものでなく、第１〜第５の実施形態を組み合わせて用いてもよいし、本発明の要旨を逸脱しない範囲において、種々なる態様で実施し得ることは勿論である。
（実施例）
図１４は、図１５に示す計測装置の構成により、本発明の収納体（第１〜第５の実施形態における移動棚２８）を形成する一例としての材料の電磁波透過性能を評価した実験結果である。
【０１８９】
図１５に示すように、電波暗室１１８の内部に、送信アンテナ１２２及び受信アンテナ１２４が設置されている。送信アンテナ１２２及び受信アンテナ１２４には、広帯域アンテナのログペリオディックアンテナが用いられている。
【０１９０】
電波暗室１１８の天井、床、及び側壁は、電磁波を遮蔽する電磁波遮蔽層１２０を外側に設け、さらに、電磁波を吸収する電磁波吸収層１４０を内側に設けた二重構造になっている。
【０１９１】
電波暗室１１８の床上には、架台１５０が設置されている。そして、この架台１５０の上に、後述する試験体１２６、１２８、１３０、１３２、１３４、１３６、１３８が各実験毎に置かれる。
【０１９２】
送信アンテナ１２２は、略垂直に立てられた支柱１４２の上方から張り出した支持部材１４６の端部に固定されている。また、受信アンテナ１２４は、略垂直に立てられた支柱１４４の上方から張り出した支持部材１４８の端部に固定されている。
【０１９３】
送信アンテナ１２２は、この送信アンテナ１２２の電磁波発信源から試験体１２６、１２８、１３０、１３２、１３４、１３６、１３８の上面までの距離Ｌ１が２ｍとなり、鉛直方向に対する入射角θ１が１０゜となるように支持部材１４６に固定されている。
【０１９４】
また、受信アンテナ１２４は、この受信アンテナ１２４の電磁波受信源から試験体１２６、１２８、１３０、１３２、１３４、１３６、１３８の上面までの距離Ｌ２が２ｍとなり、鉛直方向に対する入射角θ２が１０゜となるように支持部材１４８に固定されている。
【０１９５】
支柱１４２、１４４、支持部材１４６、１４８、及び架台１５０は、電磁波に対する透過性が高い材料によって形成されている。
【０１９６】
試験体１２６は、木製の板をベース部材とし、このベース部材の全表面を厚さ０．５ｍｍの銅箔で覆ったものである。
【０１９７】
試験体１２８は、発泡プラスチック製の板をベース部材とし、このベース部材の表面には何も覆っていないものである。
【０１９８】
試験体１３０は、発泡プラスチック製の板をベース部材とし、このベース部材の全表面を厚さ１ｍｍのフェルトで覆ったものである。
【０１９９】
試験体１３２は、発泡プラスチック製の板をベース部材とし、このベース部材の全表面を厚さ０．１ｍｍの塩化ビニールシートで覆ったものである。
【０２００】
試験体１３４は、発泡プラスチック製の板をベース部材とし、このベース部材の全表面を厚さ２ｍｍのポリ合板で覆ったものである。
【０２０１】
試験体１３６は、発泡プラスチック製の板をベース部材とし、このベース部材の全表面を厚さ０．５ｍｍのメラミン樹脂で覆ったものである。
【０２０２】
試験体１２６、１２８、１３０、１３２、１３４、１３６のベース部材の外形寸法は、縦１２００ｍｍ×横１２００ｍｍ×厚さ２０ｍｍである。
【０２０３】
試験体１３８は、一般に会議用デスクとして用いられている材料の構成を有している。試験体１３８は、木製の板をベース部材とし、このベース部材の全表面を厚さ０．５ｍｍのメラミン化粧合板で覆ったものである。試験体１３８のベース部材の外形寸法は、縦１８００ｍｍ×横１２００ｍｍ×厚さ２５ｍｍである。
【０２０４】
計測は、始めに試験体１２６を架台１５０の上に置き、送信アンテナ１２２から電磁波を照射する。そして、この照射された電磁波の内、試験体１２６に反射して受信アンテナ１２４に入射する電磁波の電界強度Ａ１（ｄＢμＶ）を計測する。
【０２０５】
次に、各実験毎に、試験体１２８、１３０、１３２、１３４、１３６、１３８を架台１５０の上にそれぞれ置いた状態で、送信アンテナ１２２から電磁波を照射する。そして、この照射された電磁波の内、試験体１２８、１３０、１３２、１３４、１３６、１３８に反射して受信アンテナ１２４に入射する電磁波の電界強度Ａ２（ｄＢμＶ）を計測する。
【０２０６】
この電界強度Ａ２の値から電界強度Ａ１の値を引いた値をそれぞれ求め、この値（Ａ２−Ａ１）の絶対値を反射損失の値とする。
【０２０７】
そして、この計測を４００ＭＨｚ〜１０００ＭＨｚの周波数のＴＥ波（Transverse Electric Wave）に対して行った。ＴＥ波とは、電気ベクトルの振動方向が入射面に垂直で、磁気ベクトルの振動方向が入射面内にある波のことである。
【０２０８】
図１４の符号１２８Ａ、１３０Ａ、１３２Ａ、１３４Ａ、１３６Ａ、１３８Ａは、図１５に示した架台１５０の上に、各実験毎に試験体１２８、１３０、１３２、１３４、１３６、１３８をそれぞれ置いたときの計測値である。また、図１４の横軸には周波数（ＭＨｚ）が示され、縦軸には電界強度Ａ２の値から電界強度Ａ１の値を引いた値が示されている。
【０２０９】
図１４では、縦軸の下方の値を示す（Ａ２−Ａ１の値が小さい）程、電磁波に対する反射損失は高い（電磁波に対する透過性能が高い）ことになる。
【０２１０】
なお、電界強度Ａ２の値から電界強度Ａ１の値を引いた値の絶対値を反射損失としたので、例えば、グラフの値が−２５ｄＢである場合の反射損失は２５ｄＢとなる。
【０２１１】
図１４からわかるように、試験体１２８、１３０、１３２、１３４、１３６、１３８は、４００ＭＨｚ〜１０００ＭＨｚの電磁波に対して約１２ｄＢ以上の反射損失を得ることができる。
【０２１２】
また、一般的なＩＣタグで主に用いられている９５３ＭＨｚの電磁波においては、試験体１２８、１３０、１３２が電磁波に対して優れた透過性能を発揮し、電磁波に対して２２ｄＢ程度の反射損失を得ることができる。
【０２１３】
よって、収納体（移動棚２８）を形成する材料として発泡プラスチックを用いれば、電磁波に対する優れた透過性を発揮することができる。また、この発泡プラスチックをベース部材にして、この発泡プラスチックの全表面をフェルトや塩化ビニールシートで覆った場合にも、発泡プラスチックの有する電磁波に対する透過性を低下させない（反射損失を小さくしない）。
【図面の簡単な説明】
【０２１４】
【図１】本発明の第１の実施形態に係る物品管理装置を示す平面図である。
【図２】本発明の第１の実施形態に係る移動棚及び陳列庫を示す斜視図である。
【図３】本発明の第１の実施形態に係る反射損失を説明する説明図である。
【図４】本発明の第１の実施形態に係る移動棚及び陳列庫を示す斜視図である。
【図５】本発明の第１の実施形態に係る移動棚及び陳列庫を示す側断面図及び平断面図である。
【図６】本発明の第１の実施形態に係るアンテナ及びリーダライタ装置を示す説明図である。
【図７】本発明の第２の実施形態に係る移動棚及び陳列庫を示す側断面図及び平断面図である。
【図８】本発明の第３の実施形態に係る移動棚及び陳列庫を示す側断面図及び平断面図である。
【図９】本発明の第４の実施形態に係る移動棚及び陳列庫を示す側断面図である。
【図１０】本発明の第４の実施形態に係る移動棚及び陳列庫を示す平断面図である。
【図１１】本発明の第４の実施形態に係る移動棚及び陳列庫を示す平断面図である。
【図１２】本発明の第５の実施形態に係る吸収部材を示す拡大図である。
【図１３】本発明の実施形態に係る物品管理装置の変形例を示す平面図である。
【図１４】本発明の実施形態に係る実施例の実験における、周波数に対するＡ２−Ａ１の値を示す線図である。
【図１５】本発明の実施形態に係る実施例の計測装置を示す説明図である。
【図１６】従来の在庫管理システムを示す説明図である。
【符号の説明】
【０２１５】
１０  物品管理装置
２８  移動棚（収納体）
３２、３６、３８、８０、９０、１００、１０８  陳列庫（格納体）
５０  アンテナ（発信手段、受信手段）
５２  ＩＣタグ（記憶手段）
６０  物品
７４、８８、９６  開口部
７６  リーダライタ装置（読取手段）
８６  アルミニウムシート（反射層）
９８  散乱層
１１２  吸収部材
【図１】
2008254865.tif 000003
【図２】
2008254865.tif 000004
【図３】
2008254865.tif 000005
【図４】
2008254865.tif 000006
【図５】
2008254865.tif 000007
【図６】
2008254865.tif 000008
【図７】
2008254865.tif 000009
【図８】
2008254865.tif 000010
【図９】
2008254865.tif 000011
【図１０】
2008254865.tif 000012
【図１１】
2008254865.tif 000013
【図１２】
2008254865.tif 000014
【図１３】
2008254865.tif 000015
【図１４】
2008254865.tif 000016
【図１５】
2008254865.tif 000017
【図１６】
2008254865.tif 000018